(57)【要約】【課題】  光ディスクドライブユニットとハードディスクドライブユニットとを筐体内の横方向に並設した構成であっても、装置全体がコンパクトでかつ、薄型化が可能なレイアウトとする。【解決手段】  筐体１内にハードディスクドライブユニット２と光ディスクドライブユニット３を並設する。ハードディスクドライブユニット２上に光ディスクドライブユニット３を制御するＭＰＥＧ基板３５を固定する。一方、ハードディスクドライブユニット２の下部に形成される空間部３１にマイコンなどの比較的高さが低い電子部品を実装する。これにより、筐体１の薄型化及び小型化が可能であり、複合映像記録再生機器のコンパクト化を図れる。【選択図】        図３
2006066035.tif 000002
【特許請求の範囲】
【請求項１】
映像信号と音声信号を含むＡＶ信号を記録するハードディスクドライブユニットと、該ハードディスクドライブユニットより高さ方向に厚く形成された光ディスクドライブユニットと、これらドライブユニットの電源部を備えたメイン基板と、前記各ドライブユニットからのデジタル信号を入力して該ドライブユニットを制御するＭＰＥＧ基板とを筐体に収納した複合映像記憶再生機器において、前記メイン基板上に前記ハードディスクドライブユニットを固定し、ハードディスクドライブユニットと前記光ディスクドライブユニットとを横方向に並設するとともに、前記ハードディスクドライブユニットの上面側に前記ＭＰＥＧ基板を水平に固定する一方、前記ハードディスクドライブユニットの下部に前記メイン基板に実装される各種電子部品を実装する空間部を形成したことを特徴とする複合映像記憶再生機器。
【請求項２】
前記メイン基板に前記複合映像記憶再生機器の表示ユニット及び各種操作スイッチ、入出力端子などを備えたインターフェイスユニットと、チューナユニットを設けるとともに、これらユニットを駆動又は制御する回路がその各ユニットのレイアウトとほぼ対応して形成されていることを特徴とする請求項１記載の複合映像記憶再生機器。
【発明の詳細な説明】
【技術分野】
【０００１】
本発明は、ハードディスクドライブユニットと光ディスクドライブユニットとを備えた複合映像記憶再生機器、特に、薄型化が可能な複合映像記憶再生機器に関する。
【背景技術】
【０００２】
近年、ディスク装置は、ディスクプレーヤやＣＤプレーヤ等に限られず、テレビジョン受像機本体にも内蔵されるなど、その使用範囲は広範囲に及んでおり、近年、光ディスク等の大容量の記録再生装置が実用化されると共に、これと従来使用されているハードディスク記録再生装置とを備えた複合映像記録再生機器などの複合機器が開発され、それぞれの記録再生装置を別々に備えていると電源等をそれぞれの機器に重複して備えることとなるため複合化して重複した部品を共通化し、機器をコンパクト化した複合電子機器が提供されている。例えば、特許文献１には光ディスクに対する記録および／または再生を行うための光ディスク記録・再生装置と一体化された磁気記録・再生装置であって、磁気テープを有する磁気テープカセットを収納するための磁気テープカセット収納部と、前記磁気テープに対する記録および／または再生を行うためのヘッドと、少なくとも前記磁気テープに対する記録および／または再生を行うための電源を供給するための電源回路とを備え、前記ヘッドは、前記磁気テープカセット収納部の前記磁気テープの送り出し側または巻き取り側の何れか一方の側に配置され、前記電源回路は、前記一方とは異なる他方の側に配置された複合映像記録再生機器が提案されている。
【特許文献１】特開２００２−２３７１７６号公報
【発明の開示】
【発明が解決しようとする課題】
【０００３】
前記特許文献１で示す複合電子機器によれば、磁気記録・再生装置の磁気テープカセット収納部に並設した光ディスク記録・再生装置の光ディスク収納部後方に電源回路基板を配置してトランスで発生するスイッチングノイズなど電源回路部で発生するノイズを磁気記録・再生装置、光ディスク記録・再生装置など他の構成部分に影響を無くす構成としていた。
【０００４】
ところで、近年、記録再生装置として従来のハードディスク記録再生装置に代わって映像信号と音声信号を含むＡＶ信号を記録するハードディスクドが普及しつつあり、記録再生装置としてハードディスクドライブユニットと光ディスクドライブユニットなどの複数の記憶・再生装置を一つの筐体内に収納する場合、これら各ドライブユニットを含む表示パネルや操作スイッチといったインターフェイスユニット、チューナユニットのレイアウトを工夫してできるだけ全体の大きさを小さくし、かつ薄型化することはが求められている。
【０００５】
本発明は、上記課題に鑑みてなされたもので、ＤＶＤ等の大容量の光ディスクドライブユニットとハードディスクドライブユニットとを筐体内の横方向に並設した構成であっても、装置全体がコンパクトでかつ、薄型化が可能なレイアウトとする複合映像記録再生機器を提供することを目的とする。
【課題を解決するための手段】
【０００６】
本発明の請求項１の複合映像記憶再生機器は、映像信号と音声信号を含むＡＶ信号を記録するハードディスクドライブユニットと、該ハードディスクドライブユニットより高さ方向に厚く形成された光ディスクドライブユニットと、これらドライブユニットの電源部を備えたメイン基板と、前記各ドライブユニットからのデジタル信号を入力して該ドライブユニットを制御するＭＰＥＧ基板とを筐体に収納した複合映像記憶再生機器において、前記メイン基板上に前記ハードディスクドライブユニットを固定し、ハードディスクドライブユニットと前記光ディスクドライブユニットとを横方向に並設するとともに、前記ハードディスクドライブユニットの上面側に前記ＭＰＥＧ基板を水平に固定する一方、前記ハードディスクドライブユニットの下部に前記メイン基板に実装する各種電子部品の実装する空間部を形成したことを特徴とする。
【０００７】
請求項１の構成により、光ディスクドライブユニットとハードディスクドライブユニットとを筐体内の横方向に並設した構成であっても、ハードディスクドライブユニットと光ディスクドライブユニットとの高さの差分のスペースをＭＰＥＧ基板の取り付けスペースとして有効利用することができるとともに、ハードディスクドライブユニットとメイン基板との間の空間部にマイコンや音声制御などを行う各種制御ＩＣといった比較的高さが低い電子部品が実装可能である。また、ＭＰＥＧ基板と光ディスクドライブユニットとを並設することで、ＭＰＥＧ基板と光ディスクドライブユニットとの接続作業が簡略化される。
【０００８】
本発明の請求項２の複合映像記憶再生機器は、請求項１記載の複合映像記憶再生機器において、前記メイン基板に前記複合映像記憶再生機器の表示ユニット及び各種操作スイッチ、入出力端子などを備えたインターフェイスユニットと、チューナユニットを設けるとともに、これらユニットを駆動又は制御する回路がその各ユニットのレイアウトとほぼ対応して形成されていることを特徴とする。
【０００９】
請求項２の構成により、各ユニットを駆動又は制御する回路に直接、各ユニットを実装することによって、メイン基板に各ユニットが固定されるとともに、各ユニットの駆動又は制御回路と各ユニットが電気的に接続される。
【発明の効果】
【００１０】
本発明の請求項１の複合映像記憶再生機器によれば、映像信号と音声信号を含むＡＶ信号を記録するハードディスクドライブユニットと、該ハードディスクドライブユニットより高さ方向に厚く形成された光ディスクドライブユニットと、これらドライブユニットの電源部を備えたメイン基板と、前記各ドライブユニットからのデジタル信号を入力して該光ディスクドライブユニットを制御するＭＰＥＧ基板とを筐体に収納した複合映像記憶再生機器において、前記メイン基板上に前記ハードディスクドライブユニットを固定し、ハードディスクドライブユニットと前記光ディスクドライブユニットとを横方向に並設するとともに、前記ハードディスクドライブユニットの上面側に前記ＭＰＥＧ基板を水平に固定する一方、前記ハードディスクドライブユニットの下部に前記メイン基板に実装する各種電子部品の実装する空間部を形成したものであるから、ハードディスクドライブユニットと光ディスクドライブユニットとの高さの差分のスペースをＭＰＥＧ基板の取り付けスペースとして有効利用することができるとともに、ハードディスクドライブユニットとメイン基板との間の空間部にマイコンなどの比較的高さが低い電子部品が実装されているから、筐体の高さ寸法を抑えることで装置の小型化が可能であり、複合映像記録再生機器のコンパクト化が可能である。また、ＭＰＥＧ基板と光ディスクドライブユニットとが隣接して並設され、ＭＰＥＧ基板と光ディスクドライブユニットとを接続するフレキシブルケーブルや配線コードの接続作業も容易である。
【００１１】
本発明の請求項２の複合映像記憶再生機器によれば、請求項１記載の複合映像記憶再生機器において、前記メイン基板に前記複合映像記憶再生機器の表示ユニット及び各種操作スイッチ、入出力端子などを備えたインターフェイスユニットと、チューナユニットを設けるとともに、これらユニットを駆動又は制御する回路がその各ユニットのレイアウトとほぼ対応して形成されているから、メイン基板と各ユニットとを配線コードやフレキシブルケーブルなどで接続する必要がないため、接続作業を効率的に行うことができる。
【発明を実施するための最良の形態】
【００１２】
以下、添付図面を参酌しながら、本発明を実施するための最良の形態としての実施例を説明する。
【００１３】
図１〜図４は本発明の一実施例を示しており、図１は、上面パネル１Ａを取り外した状態の複合映像記録再生機器の斜視図である。同図に示すように、複合映像再生機器の筐体１内には、ハードディスクドライブユニット２とこれより高さ方向に厚く形成された光ディスクドライブユニット３が横方向に並設されている。筐体１の前面パネル４には、光ディスクドライブユニット３のトレー５を出し入れするための挿入部７が形成されるとともにハードディスクドライブユニット２及び光ディスクドライブユニット３の表示管などからなる表示ユニット９及び記録再生を操作するための操作スイッチ１０、入出力端子１１などを備えたインターフェイスユニット１２が設けられている。
【００１４】
図２はメイン基板１５の構成を示す平面図であり、図３はメイン基板１５の構成を示す正面図、図４はメイン基板１５の構成を示す概略説明図であり、同図に示すように、メイン基板１５は、筐体１のシャーシ１Ｂに固定され、シャーシ１Ｂのほぼ中央部に位置して前記ハードディスクドライブユニット２が配置される。このハードディスクドライブユニット２は前記メイン基板１５上に固定され、そのハードディスクドライブユニット２の下部に位置して該ハードディスクドライブユニット２及び光ディスクドライブユニット３を含む複合映像記録再生機器を全体的に制御するマイコン１６が実装されている。このマイコン１６を含むメインブロック１７は、前記ハードディスクドライブユニット２の取付位置に対応して形成されており、そのメインブロック１７の一側部（図２において左側）にハードディスクドライブユニット２及び光ディスクドライブユニット３に電源を供給する電源ブロック１８が形成され、さらに、メイン基板１５の前縁側には、前記入出力端子１１に入出力する映像音声信号や操作スイッチ１０からの入力信号といったアナログ系信号を処理するためのアナログブロック１９が形成されている。また、このアナログブロック１９と隣接するように前記メイン基板１５の前縁側に前記表示ユニット９が実装されている。また、メイン基板１５の後縁側には、チューナユニット２０からの受信信号を処理するためのアナログブロック２１が形成されている。すなわち、ハードディスクドライブユニット２、表示ユニット９、チューナユニット２０を駆動又は制御する回路がその各ユニット２，９，２０のレイアウトとほぼ対応して形成されている。
【００１５】
前記ハードディスクドライブユニット２は、支持フレーム３０によって前記メイン基板１５と平行して固定され、該支持フレーム３０によって前記ハードディスクドライブユニット２とメイン基板１５との間の空間部３１に前記マイコン１６などの比較的高さが低い電子部品が実装されている。また、前記支持フレーム３０の上端部にはハードディスクドライブユニット２及び光ディスクドライブユニット３からのデジタル信号を入力してこれら各ドライブユニット２，３を制御するＭＰＥＧ基板３５が前記ハードディスクドライブユニット２と平行してねじ止めされている。このＭＰＥＧ基板３５と前記ハードディスクドライブユニット２とは共に前記筐体１内においてほぼ水平に取り付けられいるとともに、このＭＰＥＧ基板３５と前記ハードディスクドライブユニット２と並設する光ディスクドライブユニット３とがフレキシブルケーブル３６や配線コード３７によって接続される。なお、光ディスクドライブユニット３は、ハードディスクドライブユニット２と同様、前記筐体１内においてほぼ水平に固定されている。また、前記マイコン１６とハードディスクドライブユニット２とは図示しないフレキシブルケーブルや配線コードなどによって接続されている。
【００１６】
以上のようにハードディスクドライブユニット２と、光ディスクドライブユニット３とを横方向に並設し、光ディスクドライブユニット３より高さが低いハードディスクドライブユニット２上にＭＰＥＧ基板３５を固定することによって、ハードディスクドライブユニット２と光ディスクドライブユニット３との高さの差分のスペースをＭＰＥＧ基板３５の取り付けスペースとして有効利用することができるとともに、メイン基板１５とハードディスクドライブユニット２とを固定する支持フレーム３０によって前記ハードディスクドライブユニット２とメイン基板１５との間の空間部３１に前記マイコン１６や音声制御などを行う各種制御ＩＣといった比較的高さが低い電子部品が実装されているから、筐体１の高さ寸法を抑えることができるとともに、筐体１の小型化が可能であり、複合映像記録再生機器のコンパクト化が可能である。しかも、ＭＰＥＧ基板３５と光ディスクドライブユニット３とが隣接して並設され、ＭＰＥＧ基板３５と光ディスクドライブユニット３とを接続するフレキシブルケーブル３６や配線コード３７の接続作業も容易である。さらに、メイン基板１５にはハードディスクドライブユニット２の直下に位置して複合映像記録再生機器を全体的に制御するマイコン１６や音声制御や制御などを行う各制御ＩＣなどが実装されるとともに、表示ユニット９、インターフェイスユニット１２となる操作スイッチ１０、入出力端子１１についても、その取り付け位置に対応して回路が形成され、その回路に直接、表示ユニット９、操作スイッチ１０を実装した図示しない回路基板を実装しているから、メイン基板１５と各ユニット２、３、インターフェイスユニット１２とを配線コードやフレキシブルケーブルなどで接続する必要がないため、接続作業を効率的に行うことができる。
【００１７】
以上、本発明の実施例について詳述したが、本発明は、前記実施例に限定されるものではなく、本発明の要旨の範囲内で種々の変形実施が可能である。例えば、ハードディスクドライブユニット２や光ディスクドライブユニット３とメイン基板１５との固定構造などは適宜選定すればよい。
【図面の簡単な説明】
【００１８】
【図１】本発明の一実施例を示す複合映像記録再生機器の分解斜視図である。
【図２】同上、メイン基板の構成を示す平面図である。
【図３】同上、メイン基板の構成を示す正面図である。
【図４】同上、メイン基板の構成を示す概略説明図である。
【符号の説明】
【００１９】
１  筐体
２  ハードディスクドライブユニット
３  光ディスクドライブユニット
９  表示ユニット
１２  インターフェイスユニット
１５  メイン基板
２０  チューナユニット
３０  支持フレーム
３５  ＭＰＥＧ基板
【図１】
2006066035.tif 000003
【図２】
2006066035.tif 000004
【図３】
2006066035.tif 000005
【図４】
2006066035.tif 000006